(57)【要約】【課題】  地理的識別区域を越えて０ＡＢ〜Ｊ番号を利用することを防止し、既存の固定電話からＩＰ電話に移行する時に加入者番号の同一番号移行を経済的に行うことが可能なＩＰ電話アクセスシステムを提供する。【解決手段】  ＯＮＵ３−１〜３−ｎ，４−１〜４−ｎ内にＬＬＩＤとＩＰ電話のＩＰアドレスとを対応付けるアドレス管理テーブルを設け、ＯＬＴ７，８内に当該ＯＬＴ７，８に収容されるＯＮＵ３−１〜３−ｎ，４−１〜４−ｎのＬＬＩＤのＩＤ管理テーブルを設け、ＩＰ網１００のサーバ９内にＯＬＴ−ＩＤとＬＬＩＤとＩＰアドレスと加入者番号とを対応付ける加入者番号管理テーブルを設ける。ＯＮＵ３−１〜３−ｎ，４−１〜４−ｎはＩＰ電話からサーバ９へ送出されたＩＰパケットを抽出して蓄積し、その後に送受信されるＩＰアドレスと照合し、照合した結果が不一致の場合に異常通知をサーバ９に報告する。【選択図】      図１                                                  
2006013639.tif 000002
【特許請求の範囲】
【請求項１】
ＩＰ（Ｉｎｔｅｒｎｅｔ  Ｐｒｏｔｏｃｏｌ）電話端末と、前記ＩＰ電話端末を収容する宅内終端装置と、前記宅内終端装置を収容する局内終端装置とを含むＩＰ電話アクセスシステムであって、
前記宅内終端装置内に設けかつ前記宅内終端装置毎の論理リンク識別子と前記ＩＰ電話端末のＩＰアドレスとを対応付けるアドレス管理テーブルと、前記局内終端装置内に設けかつ前記局内終端装置に収容される前記宅内終端装置の論理リンク識別子を登録したＩＤ管理テーブルと、前記ＩＰ電話端末との間の情報をＩＰパケットで転送するＩＰ網内に設けかつ前記局内終端装置からアクセス可能なサーバと、前記サーバ内に設けかつ前記局内終端装置の識別子と前記宅内終端装置の論理リンク識別子と前記ＩＰ電話端末のＩＰアドレスと加入者番号とを対応付ける加入者番号管理テーブルとを有し、前記アドレス管理テーブルと前記ＩＤ管理テーブルと前記加入者番号管理テーブルとを用いて前記ＩＰパケットを検証することを特徴とするＩＰ電話アクセスシステム。
【請求項２】
前記宅内終端装置は、前記ＩＰ電話端末からＡＲＰ（Ａｄｄｒｅｓｓ  Ｒｅｓｏｌｕｔｉｏｎ  Ｐｒｏｔｏｃｏｌ）要求が発行された時に当該ＡＲＰ要求から前記ＩＰ電話端末のＩＰアドレスを抽出して前記アドレス管理テーブルに登録することを特徴とする請求項１記載のＩＰ電話アクセスシステム。
【請求項３】
前記宅内終端装置は、前記サーバから通知される前記ＩＰ電話端末のＩＰアドレスを前記アドレス管理テーブルに登録することを特徴とする請求項１記載のＩＰ電話アクセスシステム。
【請求項４】
前記宅内終端装置は、前記ＩＰ電話端末と前記サーバとの間で呼接続フェーズに入った時に前記ＩＰ電話端末と前記サーバとの間でやりとりされるＩＰパケットから抽出したＩＰアドレスと前記アドレス管理テーブル内のＩＰアドレスとを照合し、不一致の時に異常通知を前記サーバに送信することを特徴とする請求項１から請求項３のいずれか記載のＩＰ電話アクセスシステム。
【請求項５】
前記局内終端装置から前記宅内終端装置への光信号を分波しかつ前記宅内終端装置から前記局内終端装置への光信号を合波する光スプリッタを含むことを特徴とする請求項１から請求項４のいずれか記載のＩＰ電話アクセスシステム。
【請求項６】
前記宅内終端装置は、ＯＮＵ（Ｏｐｔｉｃａｌ  Ｎｅｔｗｏｒｋ  Ｕｎｉｔ）であり、
前記局内終端装置は、ＯＬＴ（Ｏｐｔｉｃａｌ  Ｌｉｎｅ  ｔｅｒｍｉｎａｌ）であることを特徴とする請求項５記載のＩＰ電話アクセスシステム。
【請求項７】
ＩＰ（Ｉｎｔｅｒｎｅｔ  Ｐｒｏｔｏｃｏｌ）電話端末と、前記ＩＰ電話端末を収容するＭＣ（Ｍｅｄｉａ  Ｃｏｎｖｅｒｔｅｒ）と前記ＭＣを収容する集合ＭＣとを含むＩＰ電話アクセスシステムであって、前記ＭＣ内に設けかつ前記ＭＣ毎の論理リンク識別子と前記ＩＰ電話端末のＩＰアドレスとを対応付けるアドレス管理テーブルと、前記集合ＭＣ内に設けかつ前記集合ＭＣに収容される前記ＭＣの論理リンク識別子を登録するＩＤ管理テーブルと、前記ＩＰ電話端末との間の情報をＩＰパケットで転送するＩＰ網内に設けかつ前記集合ＭＣからアクセス可能なサーバと、前記サーバ内に設けかつ前記集合ＭＣの識別子と前記ＭＣの論理リンク識別子と前記ＩＰ電話端末のＩＰアドレスと加入者番号とを対応付ける加入者番号管理テーブルとを有し、前記アドレス管理テーブルと前記ＩＤ管理テーブルと前記加入者番号管理テーブルとを用いて前記ＩＰパケットを検証することを特徴とするＩＰ電話アクセスシステム。
【請求項８】
前記ＭＣは、前記ＩＰ電話端末からＡＲＰ（Ａｄｄｒｅｓｓ  Ｒｅｓｏｌｕｔｉｏｎ  Ｐｒｏｔｏｃｏｌ）要求が発行された時に当該ＡＲＰ要求から前記ＩＰ電話端末のＩＰアドレスを抽出して前記アドレス管理テーブルに登録することを特徴とする請求項７記載のＩＰ電話アクセスシステム。
【請求項９】
前記ＭＣは、前記サーバから通知される前記ＩＰ電話端末のＩＰアドレスを前記アドレス管理テーブルに登録することを特徴とする請求項７記載のＩＰ電話アクセスシステム。
【請求項１０】
前記ＭＣは、前記ＩＰ電話端末と前記サーバとの間で呼接続フェーズに入った時に前記ＩＰ電話端末と前記サーバとの間でやりとりされるＩＰパケットから抽出したＩＰアドレスと前記アドレス管理テーブル内のＩＰアドレスとを照合し、不一致の時に異常通知を前記サーバに送信することを特徴とする請求項７から請求項９のいずれか記載のＩＰ電話アクセスシステム。
【請求項１１】
ＩＰ（Ｉｎｔｅｒｎｅｔ  Ｐｒｏｔｏｃｏｌ）電話端末を収容しかつ局内終端装置に収容される宅内終端装置であって、
自装置の論理リンク識別子と前記ＩＰ電話端末のＩＰアドレスとを対応付けるアドレス管理テーブルと、
前記ＩＰ電話端末との間の情報をＩＰパケットで転送するＩＰ網内において、前記局内終端装置からアクセス可能としかつ前記宅内終端装置の論理リンク識別子と前記ＩＰ電話端末のＩＰアドレスと加入者番号とを対応付ける加入者番号管理テーブルを持つサーバと前記ＩＰ電話端末との間で呼接続フェーズに入った時に、前記ＩＰ電話端末と前記サーバとの間でやりとりされるＩＰパケットから抽出したＩＰアドレスと前記アドレス管理テーブル内のＩＰアドレスとを照合する手段と、
その照合結果が不一致の時に異常通知を前記サーバに送信する手段とを有することを特徴とする宅内終端装置。
【請求項１２】
前記ＩＰ電話端末からＡＲＰ（Ａｄｄｒｅｓｓ  Ｒｅｓｏｌｕｔｉｏｎ  Ｐｒｏｔｏｃｏｌ）要求が発行された時に当該ＡＲＰ要求から前記ＩＰ電話端末のＩＰアドレスを抽出して前記アドレス管理テーブルに登録することを特徴とする請求項１１記載の宅内終端装置。
【請求項１３】
前記サーバから通知される前記ＩＰ電話端末のＩＰアドレスを前記アドレス管理テーブルに登録することを特徴とする請求項１１記載の宅内終端装置。
【請求項１４】
ＯＮＵ（Ｏｐｔｉｃａｌ  Ｎｅｔｗｏｒｋ  Ｕｎｉｔ）であることを特徴とする請求項１１から請求項１３のいずれか記載の宅内終端装置。
【請求項１５】
ＭＣ（Ｍｅｄｉａ  Ｃｏｎｖｅｒｔｅｒ）であることを特徴とする請求項１１から請求項１３のいずれか記載の宅内終端装置。
【請求項１６】
ＩＰ（Ｉｎｔｅｒｎｅｔ  Ｐｒｏｔｏｃｏｌ）電話端末と、前記ＩＰ電話端末を収容する宅内終端装置と、前記宅内終端装置を収容する局内終端装置とを含むシステムに用いられるＩＰ電話アクセス方法であって、
前記宅内終端装置内に、前記宅内終端装置毎の論理リンク識別子と前記ＩＰ電話端末のＩＰアドレスとを対応付けるアドレス管理テーブルを設け、
前記局内終端装置内に、前記局内終端装置に収容される前記宅内終端装置の論理リンク識別子を登録したＩＤ管理テーブルを設け、
前記ＩＰ電話端末との間の情報をＩＰパケットで転送するＩＰ網内に設けかつ前記局内終端装置からアクセス可能なサーバ内に、前記局内終端装置の識別子と前記宅内終端装置の論理リンク識別子と前記ＩＰ電話端末のＩＰアドレスと加入者番号とを対応付ける加入者番号管理テーブルを設け、
前記宅内終端装置側に、前記アドレス管理テーブルを用いて前記ＩＰパケットを検証する処理を有することを特徴とするＩＰ電話アクセス方法。
【請求項１７】
前記宅内終端装置が、前記ＩＰ電話端末からＡＲＰ（Ａｄｄｒｅｓｓ  Ｒｅｓｏｌｕｔｉｏｎ  Ｐｒｏｔｏｃｏｌ）要求が発行された時に当該ＡＲＰ要求から前記ＩＰ電話端末のＩＰアドレスを抽出して前記アドレス管理テーブルに登録することを特徴とする請求項１６記載のＩＰ電話アクセス方法。
【請求項１８】
前記宅内終端装置が、前記サーバから通知される前記ＩＰ電話端末のＩＰアドレスを前記アドレス管理テーブルに登録することを特徴とする請求項１６記載のＩＰ電話アクセス方法。
【請求項１９】
前記宅内終端装置が、前記ＩＰ電話端末と前記サーバとの間で呼接続フェーズに入った時に前記ＩＰ電話端末と前記サーバとの間でやりとりされるＩＰパケットから抽出したＩＰアドレスと前記アドレス管理テーブル内のＩＰアドレスとを照合し、不一致の時に異常通知を前記サーバに送信することを特徴とする請求項１６から請求項１８のいずれか記載のＩＰ電話アクセス方法。
【請求項２０】
前記局内終端装置から前記宅内終端装置への光信号を分波しかつ前記宅内終端装置から前記局内終端装置への光信号を合波する光スプリッタを含むことを特徴とする請求項１６から請求項１９のいずれか記載のＩＰ電話アクセス方法。
【請求項２１】
前記宅内終端装置が、ＯＮＵ（Ｏｐｔｉｃａｌ  Ｎｅｔｗｏｒｋ  Ｕｎｉｔ）であり、
前記局内終端装置が、ＯＬＴ（Ｏｐｔｉｃａｌ  Ｌｉｎｅ  ｔｅｒｍｉｎａｌ）であることを特徴とする請求項２０記載のＩＰ電話アクセス方法。
【請求項２２】
ＩＰ（Ｉｎｔｅｒｎｅｔ  Ｐｒｏｔｏｃｏｌ）電話端末と、前記ＩＰ電話端末を収容するＭＣ（Ｍｅｄｉａ  Ｃｏｎｖｅｒｔｅｒ）と前記ＭＣを収容する集合ＭＣとを含むシステムに用いられるＩＰ電話アクセス方法であって、
前記ＭＣ内に、前記ＭＣ毎の論理リンク識別子と前記ＩＰ電話端末のＩＰアドレスとを対応付けるアドレス管理テーブルを設け、
前記集合ＭＣ内に、前記集合ＭＣに収容される前記ＭＣの論理リンク識別子を登録するＩＤ管理テーブルを設け、
前記ＩＰ電話端末との間の情報をＩＰパケットで転送するＩＰ網内に設けかつ前記集合ＭＣからアクセス可能なサーバ内に、前記集合ＭＣの識別子と前記ＭＣの論理リンク識別子と前記ＩＰ電話端末のＩＰアドレスと加入者番号とを対応付ける加入者番号管理テーブルを設け、
前記ＭＣ側に、前記アドレス管理テーブルを用いて前記ＩＰパケットを検証する処理を有することを特徴とするＩＰ電話アクセス方法。
【請求項２３】
前記ＭＣが、前記ＩＰ電話端末からＡＲＰ（Ａｄｄｒｅｓｓ  Ｒｅｓｏｌｕｔｉｏｎ  Ｐｒｏｔｏｃｏｌ）要求が発行された時に当該ＡＲＰ要求から前記ＩＰ電話端末のＩＰアドレスを抽出して前記アドレス管理テーブルに登録することを特徴とする請求項２２記載のＩＰ電話アクセス方法。
【請求項２４】
前記ＭＣは、前記サーバから通知される前記ＩＰ電話端末のＩＰアドレスを前記アドレス管理テーブルに登録することを特徴とする請求項２２記載のＩＰ電話アクセス方法。
【請求項２５】
前記ＭＣが、前記ＩＰ電話端末と前記サーバとの間で呼接続フェーズに入った時に前記ＩＰ電話端末と前記サーバとの間でやりとりされるＩＰパケットから抽出したＩＰアドレスと前記アドレス管理テーブル内のＩＰアドレスとを照合し、不一致の時に異常通知を前記サーバに送信することを特徴とする請求項２２から請求項２４のいずれか記載のＩＰ電話アクセス方法。
【発明の詳細な説明】
【技術分野】
【０００１】
本発明はＩＰ電話アクセスシステム、宅内終端装置及びそれに用いるＩＰ電話アクセス方法に関し、特に固定電話サービスに適用されるＩＰ（Ｉｎｔｅｒｎｅｔ  Ｐｒｏｔｏｃｏｌ）電話アクセスシステムに関する。
【背景技術】
【０００２】
固定電話サービスにてＩＰ電話を使用するためには、従来からの電話番号体系である固定電話用番号（０ＡＢ〜Ｊ番号）を使用することが望ましい。これは固定電話用番号（０ＡＢ〜Ｊ番号）がその地理的識別性から緊急通報の発信場所を特定することができること、また地域を識別することができること等が国民生活に深く浸透しているためである。
【０００３】
また、既存の固定電話［アナログ電話またはＩＳＤＮ（Ｉｎｔｅｇｒａｔｅｄ  Ｓｅｒｖｉｃｅｓ  Ｄｉｇｉｔａｌ  Ｎｅｔｗｏｒｋ）電話］からＩＰ電話に置き換える場合には、固定電話で使用していた加入者番号を同一番号のまま移行することができるためである。
【０００４】
逆に、固定電話用番号（０ＡＢ〜Ｊ番号）を使用するためには、地理的識別区域を越えて利用することを防止する措置が必要である。つまり、固定電話用番号（０ＡＢ〜Ｊ番号）を使用する場合には、東京にある固定電話を大阪に移動し、その番号のままで使用するのを防がなくてはならない。従来の固定電話サービス用ＩＰ電話アクセスシステムとしては、例えば、同一番号移行を可能にする例が提案されている（例えば、特許文献１参照）。
【０００５】
従来の通信ネットワークシステムの構成例を図１５を参照して説明する。図１５において、従来の通信ネットワークシステムでは共通線信号網５７上に交換機（ａ）５１と交換機（ｂ）５２とが配備され、ＩＰ網６６上にソフトスイッチ（ａ）６０とソフトスイッチ（ｂ）６１とが配備されている。
【０００６】
交換機（ａ）５１は固定電話端末（ａ）５３と固定電話端末（ｂ）５とを収容し、交換機（ｂ）５２は固定電話端末（ｃ）５５と固定電話端末（ｄ）５６とを収容している。
【０００７】
ソフトスイッチ（ａ）６０はＩＰ電話端末（ａ）６２とＩＰ電話端末（ｂ）６３とを収容し、ソフトスイッチ（ｂ）６１はＩＰ電話端末（ｃ）６４とＩＰ電話端末（ｄ）６５とを収容している。
【０００８】
そして、共通線信号網５７とＩＰ網６６との境界に、メディアゲートウェイコントローラ［以下、単に、ＭＧＣ（Ｍｅｄｉａ  Ｇａｔｅｗａｙ  Ｃｏｎｔｒｏｌｌｅｒ）とする］（ａ）５８と、ＭＧＣ（ｂ）５９とが配備されており、ＭＧＣ（ａ）５８及びＭＧＣ（ｂ）５９は共通線信号網５７の呼接続信号をＩＰ網６６の呼接続信号に、あるいはＩＰ網６６の呼接続信号を共通信号網５７に変換する機能を持つ。
【０００９】
従来の同一番号移行動作について図１６を参照して説明する。図１６において、交換機（ａ）１１１は共通線信号網上のＭＴＰ（Ｍｅｓｓａｇｅ  Ｔｒａｎｓｆｅｒ  Ｐａｒｔ）アドレスとして［ＭＴＰ＝ａ］を持ち、［０３−１１１１−０００１］という番号を持つ固定電話端末（ａ）１１４を収容していることを示している。交換機（ｂ）１１２はＭＴＰアドレスとして［ＭＴＰ＝ｂ］を持ち、移転する前まで［０３−２２２２−０００２］という番号を持つ固定電話端末（ｂ）１１５を収容していたことを示している。
【００１０】
ＭＧＣ１１６はＭＴＰアドレスとして［ＭＴＰ＝ｃ］を持ち、ＩＰ網上のＩＰアドレスとして［１０．１０．１０．１］を持っていることを示している。ソフトスイッチ１１８はＩＰアドレスとして［１００．１００．１００．１］を持っており、［１００．１００．１００．３］というＩＰアドレスを持つＩＰ電話端末（ａ）１２０と、移転の後に［１００．１００．１００．２］というＩＰアドレスを持つＩＰ電話端末（ｂ）１２１とを収容していることを示している。
【００１１】
［０３−２２２２−０００２］という番号を持つ固定電話端末（ｂ）１１５から、［１００．１００．１００．２］というＩＰアドレスを持つＩＰ電話端末（ｂ）１２１に移転する場合には、まず、固定電話端末（ｂ）１１５を収容する交換機（ｂ）１１２において当該端末が移転していることと、当該端末への着信の転送先を設定しておく必要がある。
【００１２】
交換機（ｂ）１１２の加入者番号管理テーブル１１３の加入者番号［０３−２２２２−０００２］に対応する状態を移転と設定し、転送先のＭＴＰアドレスを［ＭＴＰ＝ｃ］と設定する。ＭＧＣ１１６では着番号−アカウント管理テーブル１１７の着番号［０３−２２２２−０００２］に対応するアカウントを［ＢＢＢ＠ｄｏｍａｉｎＡ］に設定する。そして、ソフトスイッチ１１８ではアカウント管理テーブル１１９のアカウントＢＢＢに対応するＩＰアドレス［１００．１００．１００．２］を設定する。
【００１３】
この状態で、固定電話端末（ａ）１１４から［０３−２２２２−０００２］宛てに発信があった場合、呼接続信号が交換機（ａ）１１１を経由して交換機（ｂ）１１２に転送される。交換機（ｂ）１１２の加入者番号管理テーブル１１３で［０３−２２２２−０００２］の転送先がＭＴＰアドレス［ＭＴＰ＝ｃ］となっているため、呼接続信号がＭＴＰアドレス［ＭＴＰ＝ｃ］のＭＧＣ１１６に転送され、ＭＧＣ１１６の着番号−アカウント管理テーブル１１７によってアカウント［ＢＢＢ＠ｄｏｍａｉｎＡ］を収容するソフトスイッチ１１８に転送される。
【００１４】
ソフトスイッチ１１８ではアカウント管理テーブル１１９によってアカウント［ＢＢＢ］に対応するＩＰアドレス［１００．１００．１００．２］を持つＩＰ電話端末（ｂ）１２１に呼接続信号が転送され、呼接続が可能となる。このようにして、固定電話端末（ｂ）１１５からＩＰ電話端末（ｂ）１２１に移転した場合でも、従来の［０３−２２２２−０００２］の加入者番号にて通信が可能となる。
【００１５】
【特許文献１】特開２００３−３２４４８６号公報
【発明の開示】
【発明が解決しようとする課題】
【００１６】
上述した従来の通信ネットワークシステムでは、交換機に加入者番号と転送先との管理テーブルを持ち、メディアゲートウェイコントローラに着番号とアカウントとの管理テーブルを持ち、ソフトスイッチのアカウント管理テーブルとともに加入者番号とＩＰアドレスとの対応付けを行って、当該加入者番号宛の呼を当該ＩＰアドレスに転送しているため、同一番号移行動作を行った後も、交換機とメディアゲートウェイコントローラとが必要であり、またソフトスイッチにアカウントとＩＰアドレスとを対応させる管理テーブルが必要であるので、不経済かつ運用上煩雑となる。
【００１７】
また、従来の通信ネットワークシステムでは、新規にＩＰ電話サービスを受けようとした時に、固定電話と同じ番号体系の固定電話用番号（０ＡＢ〜Ｊ番号）を使用する場合、上記と同様の理由で、交換機とメディアゲートウェイコントローラとが必要であり、また、ソフトスイッチにアカウントとＩＰアドレスとを対応させる管理テーブルが必要であり、不経済かつ運用上煩雑となる。
【００１８】
そこで、本発明の目的は上記の問題点を解消し、地理的識別区域を越えて固定電話用番号（０ＡＢ〜Ｊ番号）を利用することを防止することができ、既存の固定電話（アナログ電話、ＩＳＤＮ電話）からＩＰ電話に移行する時に加入者番号の同一番号移行を経済的に行うことができるＩＰ電話アクセスシステム、宅内終端装置及びそれに用いるＩＰ電話アクセス方法を提供することにある。
【課題を解決するための手段】
【００１９】
本発明によるＩＰ電話アクセスシステムは、ＩＰ（Ｉｎｔｅｒｎｅｔ  Ｐｒｏｔｏｃｏｌ）電話端末と、前記ＩＰ電話端末を収容する宅内終端装置と、前記宅内終端装置を収容する局内終端装置とを含むＩＰ電話アクセスシステムであって、
前記宅内終端装置内に設けかつ前記宅内終端装置毎の論理リンク識別子と前記ＩＰ電話端末のＩＰアドレスとを対応付けるアドレス管理テーブルと、前記局内終端装置内に設けかつ前記局内終端装置に収容される前記宅内終端装置の論理リンク識別子を登録したＩＤ管理テーブルと、前記ＩＰ電話端末との間の情報をＩＰパケットで転送するＩＰ網内に設けかつ前記局内終端装置からアクセス可能なサーバと、前記サーバ内に設けかつ前記局内終端装置の識別子と前記宅内終端装置の論理リンク識別子と前記ＩＰ電話端末のＩＰアドレスと加入者番号とを対応付ける加入者番号管理テーブルとを備え、前記アドレス管理テーブルと前記ＩＤ管理テーブルと前記加入者番号管理テーブルとを用いて前記ＩＰパケットを検証している。
【００２０】
本発明による他のＩＰ電話アクセスシステムは、ＩＰ（Ｉｎｔｅｒｎｅｔ  Ｐｒｏｔｏｃｏｌ）電話端末と、前記ＩＰ電話端末を収容するＭＣ（Ｍｅｄｉａ  Ｃｏｎｖｅｒｔｅｒ）と前記ＭＣを収容する集合ＭＣとを含むＩＰ電話アクセスシステムであって、前記ＭＣ内に設けかつ前記ＭＣ毎の論理リンク識別子と前記ＩＰ電話端末のＩＰアドレスとを対応付けるアドレス管理テーブルと、前記集合ＭＣ内に設けかつ前記集合ＭＣに収容される前記ＭＣの論理リンク識別子を登録するＩＤ管理テーブルと、前記ＩＰ電話端末との間の情報をＩＰパケットで転送するＩＰ網内に設けかつ前記集合ＭＣからアクセス可能なサーバと、前記サーバ内に設けかつ前記集合ＭＣの識別子と前記ＭＣの論理リンク識別子と前記ＩＰ電話端末のＩＰアドレスと加入者番号とを対応付ける加入者番号管理テーブルとを備え、前記アドレス管理テーブルと前記ＩＤ管理テーブルと前記加入者番号管理テーブルとを用いて前記ＩＰパケットを検証している。
【００２１】
本発明による局内終端装置は、ＩＰ（Ｉｎｔｅｒｎｅｔ  Ｐｒｏｔｏｃｏｌ）電話端末を収容しかつ局内終端装置に収容される宅内終端装置であって、
自装置の論理リンク識別子と前記ＩＰ電話端末のＩＰアドレスとを対応付けるアドレス管理テーブルと、前記ＩＰ電話端末との間の情報をＩＰパケットで転送するＩＰ網内において前記局内終端装置からアクセス可能としかつ前記宅内終端装置の論理リンク識別子と前記ＩＰ電話端末のＩＰアドレスと加入者番号とを対応付ける加入者番号管理テーブルを持つサーバと前記ＩＰ電話端末との間で呼接続フェーズに入った時に前記ＩＰ電話端末と前記サーバとの間でやりとりされるＩＰパケットから抽出したＩＰアドレスと前記アドレス管理テーブル内のＩＰアドレスとを照合する手段と、その照合結果が不一致の時に異常通知を前記サーバに送信する手段とを備えている。
【００２２】
本発明によるＩＰ電話アクセス方法は、ＩＰ（Ｉｎｔｅｒｎｅｔ  Ｐｒｏｔｏｃｏｌ）電話端末と、前記ＩＰ電話端末を収容する宅内終端装置と、前記宅内終端装置を収容する局内終端装置とを含むシステムに用いられるＩＰ電話アクセス方法であって、
前記宅内終端装置内に、前記宅内終端装置毎の論理リンク識別子と前記ＩＰ電話端末のＩＰアドレスとを対応付けるアドレス管理テーブルを設け、
前記局内終端装置内に、前記局内終端装置に収容される前記宅内終端装置の論理リンク識別子を登録したＩＤ管理テーブルを設け、
前記ＩＰ電話端末との間の情報をＩＰパケットで転送するＩＰ網内に設けかつ前記局内終端装置からアクセス可能なサーバ内に、前記局内終端装置の識別子と前記宅内終端装置の論理リンク識別子と前記ＩＰ電話端末のＩＰアドレスと加入者番号とを対応付ける加入者番号管理テーブルを設け、
前記宅内終端装置側に、前記アドレス管理テーブルを用いて前記ＩＰパケットを検証する処理を備えている。
【００２３】
本発明による他のＩＰ電話アクセス方法は、ＩＰ（Ｉｎｔｅｒｎｅｔ  Ｐｒｏｔｏｃｏｌ）電話端末と、前記ＩＰ電話端末を収容するＭＣ（Ｍｅｄｉａ  Ｃｏｎｖｅｒｔｅｒ）と前記ＭＣを収容する集合ＭＣとを含むシステムに用いられるＩＰ電話アクセス方法であって、
前記ＭＣ内に、前記ＭＣ毎の論理リンク識別子と前記ＩＰ電話端末のＩＰアドレスとを対応付けるアドレス管理テーブルを設け、
前記集合ＭＣ内に、前記集合ＭＣに収容される前記ＭＣの論理リンク識別子を登録するＩＤ管理テーブルを設け、
前記ＩＰ電話端末との間の情報をＩＰパケットで転送するＩＰ網内に設けかつ前記集合ＭＣからアクセス可能なサーバ内に、前記集合ＭＣの識別子と前記ＭＣの論理リンク識別子と前記ＩＰ電話端末のＩＰアドレスと加入者番号とを対応付ける加入者番号管理テーブルを設け、
前記ＭＣ側に、前記アドレス管理テーブルを用いて前記ＩＰパケットを検証する処理を備えている。
【００２４】
すなわち、本発明のＩＰ電話アクセスシステムは、固定電話サービス用ＩＰ電話アクセスシステムであり、ＯＮＵ（Ｏｐｔｉｃａｌ  Ｎｅｔｗｏｒｋ  Ｕｎｉｔ）内にＬＬＩＤ（Ｌｏｇｉｃａｌ  Ｌｉｎｋ  Ｉｄｅｎｔｉｆｉｅｒ）とＩＰアドレスとを対応付けるアドレス管理テーブルを有し、ＯＬＴ（Ｏｐｔｉｃａｌ  Ｌｉｎｅ  ｔｅｒｍｉｎａｌ）内に当該ＯＬＴに収容されるＯＮＵのＬＬＩＤのＩＤ管理テーブルを有し、ＩＰ（Ｉｎｔｅｒｎｅｔ  Ｐｒｏｔｏｃｏｌ）網内のサーバ内にＯＬＴ−ＩＤ（Ｏｐｔｉｃａｌ  Ｌｉｎｅ  Ｔｅｒｍｉｎａｌ  Ｉｄｅｎｔｉｆｉｅｒ）とＬＬＩＤとＩＰアドレスと加入者番号とを対応付ける加入者番号管理テーブルを有している。
【００２５】
また、本発明のＩＰ電話アクセスシステムでは、ＯＮＵ内のアドレス管理テーブルを作成するために、ＩＰ電話端末からサーバへ送出されたＩＰパケットを抽出して蓄積し、その後に送受信されるＩＰアドレスと照合する手段をＯＮＵ内に有し、さらに照合した結果が不一致の場合に異常通知をサーバに報告する手段をＯＮＵ内に有している。
【００２６】
本発明のＩＰ電話アクセスシステムでは、上記のＩＰ電話端末からサーバへ送出されたＩＰパケットを抽出する手段によって、ＯＮＵの初期設定時にＯＮＵにて自動的にＩＰ電話端末のＩＰアドレスを蓄積してアドレス管理テーブルを作成することが可能となる。
【００２７】
本発明のＩＰ電話アクセスシステムでは、そのＯＮＵ内のアドレス管理テーブルを参照することで、ＩＰ電話端末が送出するＩＰアドレスがＯＮＵ内に蓄積したＩＰアドレスと合っているかどうかを照合し、照合不一致の場合、通信不可となる。このため、本発明のＩＰ電話アクセスシステムでは、ある地理的識別区域で使用していたＩＰ電話端末が地理的識別区域を越えて使用されるのを防止することが可能となる。
【００２８】
また、本発明のＩＰ電話アクセスシステムでは、ＯＬＴ内のＩＤ管理テーブルによって当該ＯＬＴ内に収容されるべきＬＬＩＤとＯＮＵから送信されるＬＬＩＤとを照合しているため、ある地理的識別区域で使用していたＯＮＵを他の識別区域外で使用しようとしても、ＬＬＩＤの対応が不一致となり、通信不可となる。このため、本発明のＩＰ電話アクセスシステムでは、ＯＮＵもＩＰ電話端末と同様に、地理的識別区域を越えて使用されるのを防止することが可能となる。
【００２９】
上記のように、本発明のＩＰ電話アクセスシステムでは、地理的識別区域を越えて固定電話用番号（０ＡＢ〜Ｊ番号）を利用することが防止することが可能となり、固定電話サービスにＩＰ電話端末を経済的に適用することが可能となり、またその運用を容易に行うことが可能となる。
【００３０】
また、本発明のＩＰ電話アクセスシステムでは、ＩＰ電話端末に固定電話用番号（０ＡＢ〜Ｊ番号）を適用することが可能となることによって、既存の固定電話［アナログ電話またはＩＳＤＮ（Ｉｎｔｅｇｒａｔｅｄ  Ｓｅｒｖｉｃｅｓ  Ｄｉｇｉｔａｌ  Ｎｅｔｗｏｒｋ）電話］からＩＰ電話に移行する時に、同一番号移行を経済的に行うことが可能となり、その運用を容易に行うことが可能となる。
【発明の効果】
【００３１】
本発明は、以下に述べるような構成及び動作とすることで、地理的識別区域を越えて固定電話用番号（０ＡＢ〜Ｊ番号）を利用することを防止でき、既存の固定電話（アナログ電話、ＩＳＤＮ電話）からＩＰ電話に移行する時に加入者番号の同一番号移行を経済的に行うことができるという効果が得られる。
【発明を実施するための最良の形態】
【００３２】
次に、本発明の実施例について図面を参照して説明する。図１は本発明の一実施例によるＩＰ電話アクセスシステムの構成を示すブロック図である。図１において、本発明の一実施例によるＩＰ電話アクセスシステムはＩＰ（Ｉｎｔｅｒｎｅｔ  Ｐｒｏｔｏｃｏｌ）電話端末１−１〜１−ｎ，２−１〜２−ｎと、ＯＮＵ（Ｏｐｔｉｃａｌ  Ｎｅｔｗｏｒｋ  Ｕｎｉｔ：宅内終端装置）３−１〜３−ｎ，４−１〜４−ｎと、光スプリッタ５，６と、ＯＬＴ（Ｏｐｔｉｃａｌ  Ｌｉｎｅ  ｔｅｒｍｉｎａｌ：局内終端装置）７，８と、サーバ９とから構成されている。尚、ＯＬＴ７，８及びサーバ９はＩＰ網１００を構成している。
【００３３】
ＩＰ電話端末１−１〜１−ｎ，２−１〜２−ｎはＩＰパケット上に音声を載せて通信を行う電話機である。加入者番号［０３−１１１１−０００１］１ａはＩＰ電話端末１−１に割り当てられた電話番号であり、ＩＰアドレス［１０．１０．１０．１］１ｂはＩＰ電話端末１−１に割り当てられたＩＰアドレスである。
【００３４】
ＵＴＰ（Ｕｎｓｈｉｅｌｄｅｄ  Ｔｗｉｓｔ  Ｐａｉｒ  ｃａｂｌｅ）ケーブル２０１はＩＰ電話端末１−１とＯＮＵ３−１とを接続するケーブルであり、ＯＮＵ３−１〜３−ｎはＯＬＴ７とセットでＰＯＮ（Ｐａｓｓｉｖｅ  Ｏｐｔｉｃａｌ  Ｎｅｔｗｏｒｋ）を構成する。
【００３５】
光ケーブル２０２はＯＮＵ３−１と光スプリッタ５とを接続するケーブルであり、光スプリッタ５はＯＬＴ７からＯＮＵ３−１〜３−ｎへ光信号を分波し、ＯＮＵ３−１〜３−ｎからＯＬＴ７へ光信号を合波する受動素子である。
【００３６】
光ケーブル２０３は光スプリッタ５とＯＬＴ７とを接続するケーブルであり、ＯＬＴ７はＯＮＵ３−１〜３−ｎとセットでＰＯＮを構成し、ＩＰ網１００内の入り口に配置される。ＩＰ網１００はＩＰパケット転送網であり、データ、音声、画像等をＩＰパケットで転送する網である。サーバ９はＯＬＴ７，８を経由してＩＰ電話端末１−１〜１−ｎ及びＩＰ電話端末２−１〜２−ｎ等との間で呼制御を行う。
【００３７】
ＩＰ電話端末２−１はＯＮＵ４−１に接続され、ＯＮＵ４−１〜４−ｎとＯＬＴ８とがセットでＰＯＮを構成する。加入者番号［０６−２２２２−０００１］２ａはＩＰ電話端末２−１に割り当てられた電話番号であり、ＩＰアドレス［２０．２０．２０．１］２ｂはＩＰ電話端末２−１に割り当てられたＩＰアドレスである。
【００３８】
図２は図１のＯＮＵ３−１の構成を示すブロック図である。図２において、ＯＮＵ３−１はアドレス管理テーブル３１−１と、ＩＰアドレス抽出機能３２−１と、ＬＬＣ（Ｌｏｇｉｃａｌ  Ｌｉｎｋ  Ｃｏｎｔｒｏｌ）３３−１と、ＭＰＭＣ［Ｍｕｌｔｉ  Ｐｏｉｎｔ  ＭＡＣ（Ｍｅｄｉａ  Ａｃｃｅｓｓ  Ｃｏｎｔｒｏｌ）  Ｃｏｎｔｒｏｌ］３４−１と、ＭＡＣ（メディアアクセス制御）３５−１と、ＰＨＹ（ＰＨＹｓｉｃａｌ  Ｌａｙｅｒ  ｄｅｖｉｃｅ：物理層デバイス）３６−１とから構成されている。
【００３９】
アドレス管理テーブル３１−１はＯＮＵ３−１に固有に割り当てられるＬＬＩＤ（Ｌｏｇｉｃａｌ  Ｌｉｎｋ  Ｉｄｅｎｔｉｆｉｅｒ）（「Ａ１」、・・・）と、ＩＰ電話端末１−１〜１−ｎから送出されるＩＰアドレスを抽出した結果のＩＰアドレス（「１０．１０．１０．１」、「１０．１０．１０．２」、・・・）との対応を表にしたものである。
【００４０】
ＩＰアドレス抽出機能３２−１はＩＰ電話端末１−１〜１−ｎから送出されるＩＰパケットよりＩＰアドレスを抽出する。ＬＬＣ３３−１はＯＬＴ７とＯＮＵ３−１との間のロジカルリンク制御を行う。ＭＰＭＣ３４−１はＯＬＴ７と複数のＯＮＵ３−１〜３−ｎとの間のマルチポイントＭＡＣ制御を行う。尚、ＭＡＣ３５−１及びＰＨＹ３６−１については公知であるので、その説明を省略する。また、図示していないが、他のＯＮＵ３−２〜３−ｎも、上記のＯＮＵ３−１と同様の構成となっている。
【００４１】
図３は図１に示すＯＮＵ４−１の構成を示すブロック図である。図３において、ＯＮＵ４−１はアドレス管理テーブル４１−１と、ＩＰアドレス抽出機能４２−１と、ＬＬＣ４３−１と、ＭＰＭＣ４４−１と、ＭＡＣ４５−１と、ＰＨＹ４６−１とから構成されている。
【００４２】
アドレス管理テーブル４１−１はＯＮＵ４−１に固有に割り当てられるＬＬＩＤ（「Ｂ１」、・・・）と、ＩＰ電話端末２−１〜２−ｎから送出されるＩＰアドレスを抽出した結果のＩＰアドレス（「２０．２０．２０．１」、「２０．２０．２０．２」、・・・）との対応を表にしたものである。
【００４３】
ＩＰアドレス抽出機能４２−１はＩＰ電話端末２−１〜２−ｎから送出されるＩＰアドレスを抽出する。ＬＬＣ４３−１はＯＬＴ８とＯＮＵ４−１との間のロジカルリンク制御を行う。ＭＰＭＣ４４−１はＯＬＴ８と複数のＯＮＵ４−１〜４−ｎとの間のマルチポイントＭＡＣ制御を行う。尚、ＭＡＣ４５−１及びＰＨＹ４６−１については公知であるので、その説明を省略する。また、図示していないが、他のＯＮＵ４−２〜４−ｎも、上記のＯＮＵ４−１と同様の構成となっている。
【００４４】
図４は図１に示すＯＬＴ７の構成を示すブロック図である。図４において、ＯＬＴ７はＩＤ管理テーブル７１と、ＬＬＣ７２と、ＭＰＭＣ７３と、ＯＮＵ３−１〜３−ｎ各々に対応するＭＡＣ７４−１〜７４−ｎ及びＰＨＹ７５−１〜７５−ｎとから構成されている。
【００４５】
ＩＤ管理テーブル７１はＯＮＵ３−１〜３−ｎのＬＬＩＤ（「Ａ１」〜「Ａｎ」）を表にしたものである。ＬＬＣ７２はＯＬＴ７とＯＮＵ３−１〜３−ｎとの間のロジカルリンク制御を行う。ＭＰＭＣ７３はＯＬＴ７と複数のＯＮＵ３−１〜３−ｎとの間のマルチポイントＭＡＣ制御を行う。尚、ＭＡＣ７４−１〜７４−ｎ及びＰＨＹ７５−１〜７５−ｎについては公知であるので、その説明を省略する。また、図示していないが、他のＯＬＴ８も、上記のＯＬＴ７と同様の構成となっている。
【００４６】
図５は図１のサーバ９の構成を示すブロック図である。図５において、サーバ９は加入者番号管理テーブル９１と、呼制御機能９２と、番号翻訳機能９３とから構成されている。
【００４７】
加入者番号管理テーブル９１はＯＬＴ７，８毎に割り当てられるＩＤ：ＯＬＴ−ＩＤ（Ｏｐｔｉｃａｌ  Ｌｉｎｅ  Ｔｅｒｍｉｎａｌ  Ｉｄｅｎｔｉｆｉｅｒ）（「Ａ」、「Ｂ」）と、ＯＮＵ３−１〜３−ｎ，４−１〜４−ｎ毎に割り当てられるＬＬＩＤ（「Ａ１」、・・・、「Ｂ１」、・・・）と、ＩＰ電話端末１−１〜１−ｎ，２−１〜２−ｎ毎に割り当てられるＩＰアドレス（「１０．１０．１０．１」、「１０．１０．１０．２」、・・・、「２０．２０．２０．１」、「２０．２０．２０．２」、・・・）と、加入者番号（「０３−１１１１−０００１」、「０３−１１１１−０００２」、・・・、「０６−２２２２−０００１」、「０６−２２２２−０００２」、・・・）との対応を表にしたものである。
【００４８】
呼制御機能９２はＩＰ電話１−１〜１−ｎ，２−１〜２−ｎの発着新制御を行う。番号翻訳機能９３は加入者番号管理テーブル９１に格納された内容に基づいて加入者番号とＩＰアドレスとの翻訳を行う。
【００４９】
図６は本発明の一実施例によるＩＰ電話アクセスシステムの動作を示すシーケンスチャートである。これら図１〜図６を参照して本発明の一実施例によるＩＰ電話アクセスシステムの動作について説明する。
【００５０】
まず、ＩＰ電話端末１−１に対して固定配布されたＩＰアドレスはＩＰ電話端末１−１に登録される（図６のａ１）。ＯＬＴ７に対してはそのＯＬＴ７に対応したＯＬＴ−ＩＤが登録される（図６のａ２）。ＯＮＵ３−１に対してはそのＯＮＵ３−１に対応したＬＬＩＤがＯＬＴ７から登録される（図６のａ４，ａ５）。サーバ９に対してはＯＬＴ−ＩＤ、ＬＬＩＤ、ＩＰアドレス、加入者番号を対応付けた加入者番号管理テーブル９１が登録される（図６のａ３）。
【００５１】
次に、ＩＰ通信に先立ち、ＩＰ電話端末１−１からはＡＲＰ（Ａｄｄｒｅｓｓ  Ｒｅｓｏｌｕｔｉｏｎ  Ｐｒｏｔｏｃｏｌ）要求が発行され（図６のａ６）、サーバ９がＡＲＰ応答する（図６のａ８）。このＡＲＰ要求パケットはＯＮＵ３−１で抽出され、ＩＰ電話端末１−１のＩＰアドレスがＯＮＵ３−１のアドレス管理テーブル３１−１に登録される（図６のａ７）。
【００５２】
ＩＰ電話端末１−１から発呼要求があると、呼接続フェーズに入る。この時、ＩＰ電話端末１−１とサーバ９との間でＩＰパケットが送受信される。一例として、図６では送信及び受信の各１パケットについて示している。
【００５３】
ＯＮＵ３−１はＩＰ電話端末１−１からサーバ９に送信されたＩＰパケットのソースＩＰアドレス、すなわちＩＰアドレス［１０．１０．１０．１］１ｂと、ＯＮＵ３−１に登録したＩＰアドレス、すなわちＩＰアドレス［１０．１０．１０．１］１ｂとを照合し、照合ＯＫであれば、ＩＰパケットをサーバ９に転送する（図６のａ９〜ａ１１）。
【００５４】
また、ＯＮＵ３−１はサーバ９からＩＰ電話端末１−１に送信されたＩＰパケットのディスティネーションＩＰアドレス、すなわちＩＰアドレス［１０．１０．１０．１］１ｂと、ＯＮＵ３−１に登録したＩＰアドレス、すなわちＩＰアドレス［１０．１０．１０．１］１ｂとを照合し、照合ＯＫであれば、ＩＰパケットをＩＰ電話端末１−１に転送する（図６のａ１２〜ａ１４）。
【００５５】
その後、呼接続フェーズが完了すると、ＩＰ電話端末１−１とＯＬＴ７との間ではＶｏＩＰ（Ｖｏｉｃｅ  ｏｖｅｒ  Ｉｎｔｅｒｎｅｔ  Ｐｒｏｔｏｃｏｌ）通信が行われる（図６のａ１５）。
【００５６】
上記の実施例では、ＯＮＵ３−１においてＩＰ電話端末１−１のＩＰアドレスを抽出してアドレス管理テーブル３１−１に登録しているが、抽出せずにスタティックに設定する方法もある。そのシーケンスを図７に示す。
【００５７】
図７の図６との相違点は、ＩＰ電話端末１−１からＡＲＰ要求があった時にＩＰアドレスを抽出するのではなく、予めサーバ９からＯＮＵ３−１にＩＰアドレス登録要求を送信し、サーバ９からＩＰ電話端末１−１のＩＰアドレスをＯＮＵ３−１に通知して登録を行うものである（図７のｂ６，ｂ７）。図７における他のシーケンス（図７のｂ１〜ｂ５，ｂ８〜ｂ１６）は図６のシーケンス（図６のａ１〜ａ６，ａ８〜ａ１５）と同じである。
【００５８】
図８は図１に示すＩＰ電話端末１−１のＩＰアドレス、すなわちＩＰアドレス［１０．１０．１０．１］１ｂをＯＮＵ３−１に登録した後に、ＩＰ電話端末２−１をＩＰ電話端末１−１の設置してある場所に移動してＩＰ電話端末２−１とＩＰ電話端末１−１とを交換した時に通信することができないことを説明するためのシーケンスチャートである。この時の動作について図８を参照して説明する。
【００５９】
ＩＰ電話端末２−１とＩＰ電話端末１−１とを交換した後、呼接続フェーズに入り、ＩＰ電話端末２−１からＩＰパケットが送信された場合、ＯＮＵ３−１にてＩＰパケットのソースＩＰアドレスをモニタし、アドレス管理テーブル３１−１のＩＰアドレスと照合する。
【００６０】
ここで、ＩＰ電話端末２−１のＩＰアドレス、すなわちＩＰアドレス［２０．２０．２０．１］２ｂはアドレス管理テーブル３１−１に登録されていないため、ＯＮＵ３−１にて照合ＮＧと判断され（図８のｃ１０）、異常通知がサーバ９に送られる（図８のｃ１１）。これによって、本実施例では、ＩＰ電話端末２−１を移動しての利用ができないことが分かる。
【００６１】
図９は図１に示すＯＮＵ４−１をＯＮＵ３−１の設置してある場所に移動してＯＮＵ４−１とＯＮＵ３−１とを交換した時に通信することができないことを説明するためのシーケンスチャートである。この時の動作について図９を参照して説明する。
【００６２】
ＯＮＵ４−１とＯＮＵ３−１とを交換した後、ＯＮＵ４−１からＯＬＴ７にＬＬＩＤ登録内容を送信する（図９のｄ９）。ＯＬＴ７のＩＤ管理テーブル７１にはＯＮＵ３−１のＬＬＩＤ登録情報を持っているが、ＯＮＵ４−１のＬＬＩＤ登録情報を持っていないために異常と判断され（ＬＬＩＤ照合ＮＧ）（図９のｄ１０）、異常通知がサーバ９に送られる（図９のｄ１１）。これによって、本実施例では、ＯＮＵ４−１を移動しての利用ができないことが分かる。
【００６３】
図１０は本発明の他の実施例によるＩＰ電話アクセスシステムの構成を示すブロック図である。図１０において、本発明の他の実施例によるＩＰ電話アクセスシステムはＩＰ電話端末１−１〜１−ｎ，２−１〜２−ｎと、ＭＣ（Ｍｅｄｉａ  Ｃｏｎｖｅｒｔｅｒ）１０−１〜１０−ｎ，１１−１〜１１−ｎと、集合ＭＣ１２，１３と、サーバ９とから構成されている。尚、集合ＭＣ１２，１３及びサーバ９はＩＰ網１００を構成している。
【００６４】
本発明の他の実施例では、その基本的構成は上記の本発明の一実施例と同様であるが、本発明の一実施例のようなＰＯＮ構成すなわちＰＤＳ（Ｐａｓｓｉｖｅ  Ｄｏｕｂｌｅ  Ｓｔａｒ）方式ではなく、ＭＣ構成すなわちＳＳ（Ｓｉｎｇｌｅ  Ｓｔａｒ）方式としている。このＭＣ構成のＰＯＮ構成との異なる点について説明する。
【００６５】
ＭＣ１０−１は光ケーブル３０１側の光信号とＵＴＰケーブル２０１側の電気信号とを変換する。集合ＭＣ１２はＭＣ１０−１〜１０−ｎを収容する集合型Ｍｅｄｉａ  Ｃｏｎｖｅｒｔｅｒである。集合ＭＣ１２とＭＣ１０−１〜１０−ｎとはＳＳ（Ｓｉｎｇｌｅ  Ｓｔａｒ）方式で接続されている。
【００６６】
図１１は図１０のＭＣ１０−１の構成を示すブロック図である。図１１において、ＭＣ１０−１はアドレス管理テーブル１０１−１と、ＩＰアドレス抽出機能１０２−１と、ＬＬＣ１０３−１と、ＭＡＣ１０４−１と、ＰＨＹ１０５−１とから構成されている。
【００６７】
アドレス管理テーブル１０１−１はＭＣ１０−１に固有に割り当てられるＬＬＩＤ（「Ｃ１」、・・・）と、ＩＰ電話端末１−１〜１−ｎから送出されるＩＰアドレスを抽出した結果のＩＰアドレス（「１０．１０．１０．１」、「１０．１０．１０．２」、・・・）との対応を表にしたものである。
【００６８】
ＩＰアドレス抽出機能１０２−１はＩＰ電話端末１−１〜１−ｎから送出されるＩＰアドレスを抽出する。ＬＬＣ１０３−１は集合ＭＣ１２とＭＣ１０−１との間のロジカルリンク制御を行う。尚、ＭＡＣ１０４−１及びＰＨＹ１０５−１については公知であるので、その説明を省略する。また、図示していないが、他のＭＣ１０−２〜１０−ｎも、上記のＭＣ１０−１と同様の構成となっている。
【００６９】
図１２は図１０に示すＭＣ１１−１の構成を示すブロック図である。図１２において、ＭＣ１１−１はアドレス管理テーブル１１１−１と、ＩＰアドレス抽出機能１１２−１と、ＬＬＣ１１３−１と、ＭＡＣ１１４−１と、ＰＨＹ１１５−１とから構成されている。
【００７０】
アドレス管理テーブル１１１−１はＭＣ１１−１に固有に割り当てられるＬＬＩＤ（「Ｄ１」、・・・）と、ＩＰ電話端末２−１〜２−ｎから送出されるＩＰアドレスを抽出した結果のＩＰアドレス（「２０．２０．２０．１」、「２０．２０．２０．２」、・・・）との対応を表にしたものである。
【００７１】
ＩＰアドレス抽出機能１１２−１はＩＰ電話端末２−１〜２−ｎから送出されるＩＰパケットよりＩＰアドレスを抽出する。ＬＬＣ１１３−１は集合ＭＣ１３とＭＣ１１−１との間のロジカルリンク制御を行う。尚、ＭＡＣ１１４−１及びＰＨＹ１１５−１については公知であるので、その説明を省略する。また、図示していないが、他のＭＣ１１−２〜１１−ｎも、上記のＭＣ１１−１と同様の構成となっている。
【００７２】
図１３は図１０に示す集合ＭＣ１２の構成を示すブロック図である。図１３において、集合ＭＣ１２はＩＤ管理テーブル１２１と、ＬＬＣ１２２と、ＭＣ１０−１〜１０−ｎ各々に対応するＭＡＣ１２３−１〜１２３−ｎ及びＰＨＹ１２４−１〜１２４−ｎとから構成されている。
【００７３】
ＩＤ管理テーブル１２１はＭＣ１０−１〜１０−ｎのＬＬＩＤ（「Ｃ１」〜「Ｃｎ」）を表にしたものである。ＬＬＣ１２２は集合ＭＣ１２とＭＣ１０−１〜１０−ｎとの間のロジカルリンク制御を行う。尚、ＭＡＣ１２３−１〜１２３−ｎ及びＰＨＹ１２４−１〜１２４−ｎについては公知であるので、その説明を省略する。また、図示していないが、他の集合ＭＣ１３も、上記の集合ＭＣ１２と同様の構成となっている。
【００７４】
図１４は本発明の他の実施例によるＩＰ電話アクセスシステムの動作を示すシーケンスチャートである。これら図１０〜図１４を参照して本発明の他の実施例によるＩＰ電話アクセスシステムの動作について説明する。尚、サーバ９はＯＬＴ−ＩＤの代わりに集合ＭＣ１２，１３を特定する集合ＭＣ−ＩＤを用いる以外は、上述した本発明の一実施例におけるサーバ９の構成と同様であるので、サーバ９の構成の図示及びその説明は省略する。
【００７５】
まず、ＩＰ電話端末１−１に対して固定配布されたＩＰアドレスはＩＰ電話端末１−１に登録される（図１４のｅ１）。集合ＭＣ１２に対しては、その集合ＭＣ１２に対応した集合ＭＣ−ＩＤが登録される（図１４のｅ２）。ＭＣ１０−１に対しては、そのＭＣ１０−１に対応したＬＬＩＤが集合ＭＣ１２から登録される（図１４のｅ４，ｅ５）。サーバ９に対しては集合ＭＣ−ＩＤ、ＬＬＩＤ、ＩＰアドレス、加入者番号を対応付けた加入者番号管理テーブル９１が登録される（図１４のｅ３）。
【００７６】
次に、ＩＰ通信に先立ち、ＩＰ電話端末１−１からはＡＲＰ要求が発行され（図１４のｅ６）、それに対してサーバ９がＡＲＰ応答する（図１４のｅ８）。このＡＲＰ要求パケットはＭＣ１０−１で抽出され、ＩＰ電話端末１−１のＩＰアドレスをＭＣ１０−１のアドレス管理テーブル１０１−１に登録する（図１４のｅ７）。
【００７７】
ＩＰ電話端末１−１から発呼要求があると、呼接続フェーズに入る。この時、ＩＰ電話端末１−１とサーバ９との間ではＩＰパケットが送受信される。一例として、図１４では送信及び受信の各１パケットについて示している。
【００７８】
ＭＣ１０−１はＩＰ電話端末１−１からサーバ９に送信されたＩＰパケットのソースＩＰアドレス、すなわちＩＰアドレス［１０．１０．１０．１］１ｂと、ＭＣ１０−１に登録したＩＰアドレス、すなわちＩＰアドレス［１０．１０．１０．１］１ｂとを照合し、照合ＯＫであれば、ＩＰパケットをサーバ９に転送する（図１４のｅ９〜ｅ１１）。
【００７９】
また、ＭＣ１０−１はサーバ９からＩＰ電話端末１−１に送信されたＩＰパケットのディスティネーションＩＰアドレス、すなわちＩＰアドレス［１０．１０．１０．１］１ｂと、ＭＣ１０−１に登録したＩＰアドレス、すなわちＩＰアドレス［１０．１０．１０．１］１ｂとを照合し、照合ＯＫであれば、ＩＰパケットをＩＰ電話端末１−１に転送する（図１４のｅ１２〜ｅ１４）。その後、呼接続フェーズが完了すると、ＩＰ電話端末１−１と集合ＭＣ１２との間ではＶｏＩＰ通信が行われる（図１４のｅ１５）。
【００８０】
ＩＰ電話端末１−１のＩＰアドレス、すなわちＩＰアドレス［１０．１０．１０．１］１ｂをＭＣ１０−１に登録した後に、ＩＰ電話端末２−１をＩＰ電話端末１−１の設置してある場所に移動し、ＩＰ電話端末２−１とＩＰ電話端末１−１とを交換した時に通信することができないことや、ＭＣ１１−１をＭＣ１０−１の設置してある場所に移動し、ＭＣ１１−１とＭＣ１０−１とを交換した時に通信することができないことは、上述したＰＯＮ構成の場合と同様である。
【００８１】
上記のように、本実施例のように、ＭＣ構成としても、その得られる効果は上述した本発明の一実施例と同様である。また、上述した２つの実施例では、ＩＰアドレスをＩＰｖ４（Ｉｎｔｅｒｎｅｔ  Ｐｒｏｔｏｃｏｌ  ｖｅｒｓｉｏｎ４）フォーマットとしているが、ＩＰｖ６（Ｉｎｔｅｒｎｅｔ  Ｐｒｏｔｏｃｏｌ  ｖｅｒｓｉｏｎ６）フォーマットとしてもよい。
【００８２】
このように、本発明では、ＩＰ電話端末１−１〜１−ｎ，２−１〜２−ｎのＩＰアドレスをＯＮＵ３−１〜３−ｎ，４−１〜４−ｎまたはＭＣ１０−１〜１０−ｎ，１１−１〜１１−ｎで抽出して登録しているため、地理的識別区域を越えてＩＰ電話を移動した場合に、登録していないＩＰアドレスがＯＮＵ３−１〜３−ｎ，４−１〜４−ｎまたはＭＣ１０−１〜１０−ｎ，１１−１〜１１−ｎで受信され、異常通知をサーバ９に上げることができるため、地理的識別区域を越えて固定電話用番号（０ＡＢ〜Ｊ番号）を利用することを防止することができる。
【００８３】
また、本発明では、地理的識別区域を越えて、ＯＮＵ３−１〜３−ｎ，４−１〜４−ｎまたはＭＣ１０−１〜１０−ｎ，１１−１〜１１−ｎを移動した場合、登録していないＬＬＩＤがＯＬＴ７，８または集合ＭＣ１２，１３で検出され、異常通知をサーバ９に上げることができるため、地理的識別区域を越えて固定電話用番号（０ＡＢ〜Ｊ番号）を利用することを防止することができる。
【００８４】
さらに、本発明では、交換機やＭＧＣ（メディアゲートウェイコントローラ）が不要なため、既存の固定電話（アナログ電話、ＩＳＤＮ電話）からＩＰ電話に移行する時に加入者番号の同一番号移行を経済的に行うことができ、かつその運用を容易に行うことができる。また、本発明では、新規にＩＰ電話を導入する場合も、経済的にかつ容易に運用することができる。
【産業上の利用可能性】
【００８５】
本発明では、光ネットワークについて述べたが、ＡＤＳＬ（Ａｓｙｍｍｅｔｒｉｃ  Ｄｉｇｉｔａｌ  Ｓｕｂｓｃｒｉｂｅｒ  Ｌｉｎｅ）やＩＳＤＮ（Ｉｎｔｅｇｒａｔｅｄ  Ｓｅｒｖｉｃｅｓ  Ｄｉｇｉｔａｌ  Ｎｅｔｗｏｒｋ）等を用いるネットワークにも適用可能である。
【図面の簡単な説明】
【００８６】
【図１】本発明の一実施例によるＩＰ電話アクセスシステムの構成を示すブロック図である。
【図２】図１のＯＮＵ３−１内のアドレス管理テーブルの構成を示す図である。
【図３】図１に示すＯＮＵ４−１内のアドレス管理テーブルの構成を示す図である。
【図４】図１に示すＯＬＴ内のＩＤ管理テーブルの構成を示す図である。
【図５】図１のサーバ内に置かれる加入者番号管理テーブルの構成を示す図である。
【図６】本発明の一実施例によるＩＰ電話アクセスシステムの動作を示すシーケンスチャートである。
【図７】本発明の一実施例によるＩＰ電話アクセスシステムの他の動作例を示すシーケンスチャートである。
【図８】図１に示すＩＰ電話端末のＩＰアドレスをＯＮＵに登録した後に他のＩＰ電話端末をＩＰ電話端末の設置してある場所に移動して他のＩＰ電話端末とＩＰ電話端末とを交換した時に通信することができないことを説明するためのシーケンスチャートである。
【図９】図１に示すＯＮＵ４−１をＯＮＵ３−１の設置してある場所に移動してＯＮＵ４−１とＯＮＵ３−１とを交換した時に通信することができないことを説明するためのシーケンスチャートである。
【図１０】本発明の他の実施例によるＩＰ電話アクセスシステムの構成を示すブロック図である。
【図１１】図１０のＭＣ１０−１の構成を示すブロック図である。
【図１２】図１０のＭＣ１１−１の構成を示すブロック図である。
【図１３】図１０に示す集合ＭＣ１２の構成を示すブロック図である。
【図１４】本発明の他の実施例によるＩＰ電話アクセスシステムの動作を示すシーケンスチャートである。
【図１５】従来の実施の形態の固定電話サービス用ＩＰ電話アクセスシステムの提供方法が示される通信ネットワークシステムの概略構成を示すブロック図である。
【図１６】従来の実施の形態の固定電話サービス用ＩＰ電話アクセスシステムの構成における動作の一例を示すブロック図である。
【符号の説明】
【００８７】
１−１〜１−ｎ，２−１〜２−ｎ  ＩＰ電話端末
１ａ，２ａ  加入者番号
１ｂ，２ｂ  ＩＰアドレス
３−１〜３−ｎ，４−１〜４−ｎ  ＯＮＵ
５，６  光スプリッタ
７，８  ＯＬＴ
９  サーバ
１０−１〜１０−ｎ，
１１−１〜１１−ｎ  ＭＣ
１２，１３  集合ＭＣ
３１−１，４１−１，１０１−１，
１１１−１  アドレス管理テーブル
３２−１，４２−１，１０２−１，
１１２−１  ＩＰアドレス抽出機能
３３−１，４３−１，７２，
１０３−１，１１３−１，１２２  ＬＬＣ
３４−１，４４−１，７３  ＭＰＭＣ
３５−１，４５−１，
７４−１〜７４−ｎ，１０４−１，
１１４−１，１２３−１〜１２３−ｎ  ＭＡＣ
３６−１，４６−１，
７５−１〜７５−ｎ，１０５−１，
１１５−１，１２４−１〜１２４−ｎ  ＰＨＹ
７１，１２１  ＩＤ管理テーブル
９１  加入者番号管理テーブル
１００  ＩＰ網
２０１  ＵＴＰケーブル
２０２，２０３，３０１  光ケーブル
【図１】
2006013639.tif 000003
【図２】
2006013639.tif 000004
【図３】
2006013639.tif 000005
【図４】
2006013639.tif 000006
【図５】
2006013639.tif 000007
【図６】
2006013639.tif 000008
【図７】
2006013639.tif 000009
【図８】
2006013639.tif 000010
【図９】
2006013639.tif 000011
【図１０】
2006013639.tif 000012
【図１１】
2006013639.tif 000013
【図１２】
2006013639.tif 000014
【図１３】
2006013639.tif 000015
【図１４】
2006013639.tif 000016
【図１５】
2006013639.tif 000017
【図１６】
2006013639.tif 000018